(57)【特許請求の範囲】
【請求項１】
リッド本体と、リンク体とを備えており、
リンク体は、一端側を第一軸によってリッド本体によって開口を閉塞される開口形成体に軸支され、かつ、他端側を第一軸と平行な第二軸によってリッド本体に軸支されていると共に、開口形成体に備えられたラッチ受けに対するラッチ体を備えており、かつ、このラッチ体をそのラッチ端がラッチ受けに掛合される位置に常時あるように付勢する付勢手段を備えており、
リッド本体は、リンク体の両端間においてこのリンク体に形成された掛合穴に入り込む掛合端を備えると共に、この掛合端をこの掛合穴を通じてリンク体内に最も入り込ませた前進位置と、この掛合穴から抜け出させた後退位置と、両位置の間となる中間位置とにそれぞれ位置づけさせる移動可能に備えられる切り替え部材を備えており、
切り替え部材の掛合端が前進位置にあるときにこの掛合端によってラッチ体が前記付勢に抗する向きに押圧されてラッチ受けとの掛合が解かれるようになっていることを特徴とする両開きリッド装置。
【請求項２】
リンク体が、第一リンク体と、第二リンク体とから構成されており、
リッド本体の一端側において、第一リンク体を介してリッド本体が開口形成体に組み合わされていると共に、
リッド本体の他端側において、第二リンク体を介してリッド本体が開口形成体に組み合わされており、
かつ、第二リンク体の第二軸は第一リンク体の第一軸を通る仮想の直線上に略位置され、
第二リンク体の第一軸は第一リンク体の第二軸を通る仮想の直線上に略位置されており、
切り替え部材は、第一リンク体に対する第一掛合端と、第二リンク体に対する第二掛合端とを備えており、
切り替え部材の第一掛合端が前進位置に移動されたとき第二掛合端は後退位置に移動され、
切り替え部材の第二掛合端が前進位置に移動されたとき第一掛合端は後退位置に移動されるようになっていることを特徴とする請求項１記載の両開きリッド装置。
【請求項３】
切り替え部材が仮想の直線に沿った向きに移動可能に構成されていると共に、この仮想の直線に直交する向きにおいて両側いずれの方向にも移動可能にリッド本体に備えられたこの切り替え部材の操作体を備えており、
操作体の基準位置において切り替え部材の第一掛合端及び第二掛合端が共に中間位置にあると共に、
リッド本体には、この操作体が基準位置から移動されたときに、この操作体を基準位置に押し戻す復帰手段が備えられていることを特徴とする請求項２記載の両開きリッド装置。
【請求項４】
リンク体の第二軸に巻装されたねじりコイルバネによって、この第二軸を中心として開き出し回動される向きにリッド本体が常時付勢されていることを特徴とする請求項１〜請求項３のいずれか１項に記載の両開きリッド装置。
【請求項５】
リッド本体における第二軸の側方に、この第二軸を中心に回動されるリンク体側に備えられたギアに噛み合うピニオンを備えると共に、このピニオンの回転に制動を付与するダンパ装置が備えられていることを特徴とする請求項４記載の両開きリッド装置。
【請求項６】
請求項１〜請求項５のいずれか１項に記載のリッド装置におけるリッド本体を蓋として、かつ、開口形成体をボックスとして構成されると共に、第一軸及び第二軸を通る仮想の直線を自動車の前後方向又は左右方向に配するようにしてなるセンターコンソールボックス。
【発明の詳細な説明】
【技術分野】
【０００１】
この発明は、開口形成体の開口を閉塞するリッド本体を、この開口における対向する縁部のいずれの側を回動中心としても、回動・開き出せるようにした両開きリッド装置の改良、およびこれを利用してなるセンターコンソールボックスに関する。
【背景技術】
【０００２】
開口を備える本体における対向位置にある二辺にそれぞれシャフトを設けると共に、この本体の開口を塞ぐ開閉部材の対向位置にある二辺にこのシャフトを着脱可能に挟む係脱機構を設け、開閉部材がこの二辺のいずれの側にあるシャフトを中心としても回動・開き出せるようにした開閉装置として特許文献１に示されるものがある。
【０００３】
また、開口を備える本体における対向位置にある二辺にそれぞれ係止用首振支柱に支えられたシャフト部を設けると共に、この本体の開口を塞ぐ開閉部材の対向位置にある二辺にこのシャフト部の嵌脱溝を備えたロック部を形成させ、開閉部材がこの二辺のいずれの側にあるシャフト部を中心としても回動・開き出せるようにした開閉装置として特許文献２に示されるものがある。
【０００４】
しかるに、これらいずれの開閉装置も、開閉動作の度毎に、開閉部材の回動軸となるシャフトないしシャフト部に対し係脱機構ないし嵌脱溝を嵌め付けまた抜き出させることから、構造の簡素化を図りがたいばかりか、これら嵌め付け、抜き出しが頻繁になされる箇所の損耗などを生じやすく、がたつきのない動作、さらには安定した動作を長期に亘って確保しがたいものであった。
【特許文献１】特許第３０５２１５３号公報
【特許文献２】特許第３０５２１５２号公報
【発明の開示】
【発明が解決しようとする課題】
【０００５】
この発明が解決しようとする主たる問題点は、この種の両開きタイプのリッド装置（開閉装置）において、構造の簡素化を図りやすくすると共に、かかるリッド装置が長期に亘って安定的に動作するようにする点にある。
【課題を解決するための手段】
【０００６】
前記課題を達成するために、この発明にあっては、両開きリッド装置を、以下の（１）〜（４）の構成を備えたものとした。
（１）リッド本体と、リンク体とを備えており、
（２）リンク体は、一端側を第一軸によってリッド本体によって開口を閉塞される開口形成体に軸支され、かつ、他端側を第一軸と平行な第二軸によってリッド本体に軸支されていると共に、開口形成体に備えられたラッチ受けに対するラッチ体を備えており、かつ、このラッチ体をそのラッチ端がラッチ受けに掛合される位置に常時あるように付勢する付勢手段を備えており、
（３）リッド本体は、リンク体の両端間においてこのリンク体に形成された掛合穴に入り込む掛合端を備えると共に、この掛合端をこの掛合穴を通じてリンク体内に最も入り込ませた前進位置と、この掛合穴から抜け出させた後退位置と、両位置の間となる中間位置とにそれぞれ位置づけさせる移動可能に備えられる切り替え部材を備えており、
（４）切り替え部材の掛合端が前進位置にあるときにこの掛合端によってラッチ体が前記付勢に抗する向きに押圧されてラッチ受けとの掛合が解かれるようになっている。
【０００７】
切り替え部材の掛合端が前進位置にあるときには、リッド本体とリンク体とは第二軸と切り替え部材の掛合端との二箇所で接合されており、一方、リンク体と開口形成体とは第一軸によってのみ接合されている。したがって、リッド本体とリンク体とを分離させない状態でかかるリッド本体を第一軸を中心として回動・開き出させることができる。（以下、この状態を第一軸側回動状態と称する。）
【０００８】
かかる切り替え部材の掛合端が中間位置にあるときは、ラッチ体とラッチ受けとの掛合を解かない状態で掛合端はリンク体の掛合穴に掛合されることとなる。このときは、リッド本体とリンク体とは第二軸と切り替え部材の掛合端との二箇所で接合されており、一方、リンク体と開口形成体とは第一軸とラッチ体及びラッチ受けとの二箇所で接合されている。したがって、このときは、リッド本体は第一軸を中心としても第二軸を中心としても回動・開き出させることはできず、リッド本体による開口形成体の開口を閉塞させた状態が維持される。（以下、この状態を回動不能状態と称する。）
【０００９】
一方、かかる切り替え部材の掛合端が後退位置にあるときは、ラッチ体とラッチ受けとの掛合を解かない状態で掛合端はリンク体の掛合穴に掛合しないこととなる。このときは、リッド本体とリンク体とは第二軸によってのみ接合されており、一方、リンク体と開口形成体とは第一軸とラッチ体及びラッチ受けとの二箇所で接合されている。したがって、このときは、リンク体と開口形成体とを分離させない状態でかかるリッド本体を第二軸を中心として回動・開き出させることができる。（以下、この状態を第二軸側回動状態と称する。）
【００１０】
開き出された状態から閉じ操作されたリッド本体は、第一軸側回動状態のときは開口形成体のラッチ受けにラッチ体を再び掛合させることにより、また、第二軸側回動状態のときは開口形成体側に残されたリンク体の掛合穴に切り替え部材の掛合端を再び掛合させることにより、再び開口を閉塞させた状態を安定的に維持される。
【００１１】
前記リンク体を、第一リンク体と、第二リンク体とから構成させ、
リッド本体の一端側において、第一リンク体を介してリッド本体が開口形成体に組み合わされていると共に、
リッド本体の他端側において、第二リンク体を介してリッド本体が開口形成体に組み合わされており、
かつ、第二リンク体の第二軸は第一リンク体の第一軸を通る仮想の直線上に略位置され、
第二リンク体の第一軸は第一リンク体の第二軸を通る仮想の直線上に略位置されており、
切り替え部材は、第一リンク体に対する第一掛合端と、第二リンク体に対する第二掛合端とを備えており、
切り替え部材の第一掛合端が前進位置に移動されたとき第二掛合端は後退位置に移動され、
切り替え部材の第二掛合端が前進位置に移動されたとき第一掛合端は後退位置に移動されるようにしておくこともある。
【００１２】
切り替え部材の第一掛合端が前進位置に移動されたとき、リッド本体の一端側は前記第一軸側回動状態となる。これに対して、リッド本体の他端側は前記第二軸側回動状態となる。ここで、第二リンク体の第二軸は第一リンク体の第一軸を通る仮想の直線上に略位置されることから、リッド本体の回動・開き出しが可能となる。
【００１３】
切り替え部材の第二掛合端が前進位置に移動されたとき、リッド本体の他端側は前記第一軸側回動状態となる。これに対して、リッド本体の一端側は前記第二軸側回動状態となる。ここで、第二リンク体の第一軸は第一リンク体の第二軸を通る仮想の直線上に略位置されることから、前者の場合と反対の側を自由端としたリッド本体の回動・開き出しが可能となる。
【００１４】
切り替え部材の第一掛合端および第二掛合端が共に前進位置にないときは第一掛合端および第二掛合端は共に中間位置にあることとなる。このときは、リッド本体の一端側および他端側において共に前記回動不能状態となるので、リッド本体による開口形成体の開口を閉塞させた状態が維持される。
【００１５】
このようにリッド本体を両持ちにした場合、特に、リッド本体の回動・開きだしを安定的に行わせることができる。
【００１６】
前記切り替え部材が仮想の直線に沿った向きに移動可能に構成されていると共に、この仮想の直線に直交する向きにおいて両側いずれの方向にも移動可能にリッド本体に備えられたこの切り替え部材の操作体を備えており、
操作体の基準位置において切り替え部材の第一掛合端及び第二掛合端が共に中間位置にあると共に、
リッド本体に、この操作体が基準位置から移動されたときに、この操作体を基準位置に押し戻す復帰手段を備えさせておくこともある。
【００１７】
このようにした場合、リッド本体を開き出させようとする側から操作体を押し込み操作することにより、このリッド本体をこの側を自由端として開き出させることができる。また、操作体の操作によりリッド本体が開きだした後は、復帰手段により操作体を基準位置に戻し、したがって、切り替え部材の第一掛合端及び第二掛合端が共に中間位置にある状態に戻すことができる。また、開いたリッド本体を閉じるときに復帰手段の押し戻しに抗する向きに一旦切り替え部材を移動させた後、リッド本体の閉じ位置において第一リンク体および第二リンク体の掛合穴に再び第一掛合端および第二掛合端を掛合させてこの閉じ状態を安定的に維持させることができる。
【００１８】
前記リンク体の第二軸に巻装されたねじりコイルバネによって、この第二軸を中心として開き出し回動される向きにリッド本体を常時付勢させておくこともある。このようにした場合、リッド本体の回動・開きだしがこのバネの付勢によってなされるようにすることができる。
【００１９】
前記リッド本体における第二軸の側方に、この第二軸を中心に回動されるリンク体側に備えられたギアに噛み合うピニオンを備えさせると共に、このピニオンの回転に制動を付与するダンパ装置を備えさせておくこともある。
【００２０】
このようにした場合、リッド本体の前記バネによる回動・開きだしがゆっくりとなされるようにして、リッド装置ないしはそれが適用される物品、機器、什器などに高級感などを付与させることができる。
【００２１】
また、前記課題を達成するために、この発明にあっては、センターコンソールボッスクスを、前記各リッド装置におけるリッド本体を蓋として、かつ、開口形成体をボックスとして構成されると共に、第一軸及び第二軸を通る仮想の直線を自動車の前後方向又は左右方向に配するようにしてなるものとした。
【００２２】
このように構成されたセンターコンソールボックスにあっては、前記ボッスクの開口の運転席側にある縁部の側を回動中心として助手席側からこの蓋を起立回動させて開くことができると共に、かかる開口の助手席側にある縁部の側を回動中心として運転席側からこの蓋を起立回動させて開くこともできる。あるいはまた、前記ボックスの開口の前部座席側にある縁部の側を回動中心として後部座席側からこの蓋を起立回動させて開くことができると共に、かかる開口の後部座席側にある縁部の側を回動中心として前部座席側からこの蓋を起立回動させて開くこともできる。
【発明の効果】
【００２３】
この発明にかかる両開きリッド装置、およびこれを利用したセンタコンソールボックスにあっては、リッド本体（センターコンソールボックスにあっては蓋）を開口形成体（センターコンソールボックスにあってはボックス）に対し、開口形成体に第一軸によって軸支され、かつ、リッド本体に第二軸で軸支されたリンク体を介して連係させ、リンク体と開口形成体との掛合を解いたときは第一軸を中心にリッド本体とリンク体とを一緒に回動開き出させ、リンク体とリッド本体との掛合を解いたときは前記の場合と逆の側から第二軸を中心にリッド本体のみを回動開き出させることから、構造は簡素であり、また、回動中心となる第一軸及び第二軸に対する係脱動作などはなく、長期に亘って安定的に動作する。
【発明を実施するための最良の形態】
【００２４】
以下、図１ないし図１７に基づいて、この発明を実施するための最良の形態について説明する。
【００２５】
なお、ここで図１〜図４は、リッド装置におけるリッド本体２が開口形成体１の開口１０を閉じた状態にあるときの様子を、図５〜図９は、リッド装置におけるリッド本体２が開口１０の一方の縁部１１側から開くときの様子を、図１０〜図１４は、リッド装置におけるリッド本体２がこの開口１０の他方の縁部１１側から開くときの様子を、図１５〜図１７は、かかるリッド装置を構成する各部品を分離させた状態で、それぞれ示している。特に、図２、図７、図１２では、リッド本体２を構成するアウターカバー２９を取り去った状態でこのリッド本体２を上方から視て、図３、図８、図１３は、この取り去り状態においての縦断面状態を、図４、図９、図１４は、切り替え部材２０の操作体２３と復帰手段２４との関わりを理解しやすいようにした要部の横断面状態を、それぞれ示している。図２の状態から図７にように操作体２３を操作すると図５、図６の順でリッド本体２は起立回動して開き、図２の状態から図１２にように操作体２３を操作すると図１０、図１１の順でリッド本体２は起立回動して開くようになっている。
【００２６】
この実施の形態にかかる両開きリッド装置は、開口形成体１の開口１０を閉塞するリッド本体２を、この開口における対向する縁部１１、１１のいずれの側を回動中心としても、回動・開き出せるようにしたものである。
【００２７】
開口形成体１としては、リッド本体２によって開放可能に閉塞される開口１０を形成するものであれば本発明を適用し得る開口形成体１となる。典型的には、かかる開口形成体１としては、自動車や航空機などの乗り物の室内に備えられる収納体の本体や、収納部を備えた家具や家電などの本体などがあげられる。
【００２８】
具体的には、例えば、開口形成体１が自動車のセンターコンソールボックスを構成する上面を開口１０させたボックス１’である場合には、リッド本体２をその蓋２’として本発明が適用される。かかる蓋２’は略水平な状態でかかるボックス１’の開口１０を閉塞する。そして、本発明の適用により、かかる開口１０の運転席側にある縁部１１の側を回動中心として助手席側からこの蓋２’を起立回動させて開くことができるようになると共に、かかる開口の助手席側にある縁部１１の側を回動中心として運転席側からこの蓋２’を起立回動させて開くこともできるようになる。あるいはまた、本発明の適用により、かかる開口１０の前部座席側にある縁部１１の側を回動中心として後部座席側からこの蓋２’を起立回動させて開くことができるようになると共に、かかる開口１０の後部座席側にある縁部１１の側を回動中心として前部座席側からこの蓋２’を起立回動させて開くこともできるようになる。後述する図示の例では、かかる前者の場合、後述する第一軸３０及び第二軸３１を通る仮想の直線ｘを自動車の前後方向に配するようにしてセンターコンソールボックス１’を構成させる。また、かかる後者の場合、後述する第一軸３０及び第二軸３１を通る仮想の直線ｘを自動車の左右方向に配するようにしてセンターコンソールボックス１’を構成させる。（図１、図５および図６、図１０および図１１）
【００２９】
かかるリッド装置は、リッド本体２と、リンク体３とを備えている。
【００３０】
リンク体３は、一端側を第一軸３０によってリッド本体２によって開口１０を閉塞される開口形成体１に軸支され、かつ、他端側を第一軸３０と平行な第二軸３１によってリッド本体２に軸支されている。また、かかるリンク体３は、開口形成体１に備えられたラッチ受け１２に対するラッチ体３２を備えており、かつ、このラッチ体３２をそのラッチ端３２１がラッチ受け１２に掛合される位置に常時あるように付勢する付勢手段３３を備えている。
【００３１】
一方、リッド本体２は、リンク体３の両端間においてこのリンク体３に形成された掛合穴３４に入り込む掛合端２０１を備えると共に、この掛合端２０１をこの掛合穴３４を通じてリンク体３内に最も入り込ませた前進位置と、この掛合穴３４から抜け出させた後退位置と、両位置の間となる中間位置とにそれぞれ位置づけさせる移動可能に備えられる切り替え部材２０を備えている。
【００３２】
そして、かかる切り替え部材２０の掛合端２０１が前進位置にあるときにこの掛合端２０１によってラッチ体３２が前記付勢に抗する向きに押圧されてラッチ受け１２との掛合が解かれるようになっている。このときは、リッド本体２とリンク体３とは第二軸３１と切り替え部材２０の掛合端２０１との二箇所で接合されており、一方、リンク体３と開口形成体１とは第一軸３０によってのみ接合されている。したがって、このときは、リッド本体２とリンク体３とを分離させない状態でかかるリッド本体２を第一軸３０を中心として回動・開き出させることができる。（以下、この状態を第一軸側回動状態と称する。）
【００３３】
かかる切り替え部材２０の掛合端２０１が中間位置にあるときは、ラッチ体３２とラッチ受け１２との掛合を解かない状態で掛合端２０１はリンク体３の掛合穴３４に掛合されることとなる。このときは、リッド本体２とリンク体３とは第二軸３１と切り替え部材２０の掛合端２０１との二箇所で接合されており、一方、リンク体３と開口形成体１とは第一軸３０とラッチ体３２及びラッチ受け１２との二箇所で接合されている。したがって、このときは、リッド本体２は第一軸３０を中心としても第二軸３１を中心としても回動・開き出させることはできず、リッド本体２による開口形成体１の開口１０を閉塞させた状態が維持される。（以下、この状態を回動不能状態と称する。）
【００３４】
一方、かかる切り替え部材２０の掛合端２０１が後退位置にあるときは、ラッチ体３２とラッチ受け１２との掛合を解かない状態で掛合端２０１はリンク体３の掛合穴３４に掛合しないこととなる。このときは、リッド本体２とリンク体３とは第二軸３１によってのみ接合されており、一方、リンク体３と開口形成体１とは第一軸３０とラッチ体３２及びラッチ受け１２との二箇所で接合されている。したがって、このときは、リンク体３と開口形成体１とを分離させない状態でかかるリッド本体２を第二軸３１を中心として回動・開き出させることができる。（以下、この状態を第二軸側回動状態と称する。）
【００３５】
開き出された状態から閉じ操作されたリッド本体２は、第一軸側回動状態のときは開口形成体１のラッチ受け１２にラッチ体３２を再び掛合させることにより、また、第二軸側回動状態のときは開口形成体１側に残されたリンク体３の掛合穴３４に切り替え部材２０の掛合端２０１を再び掛合させることにより、再び開口１０を閉塞させた状態を安定的に維持される。
【００３６】
これらの関係を記号を用いて分かりやすく示すと次のようになる。（なお、以下では、符号＋はこの符号の左右のパーツが二箇所で接合して一体化していることを、符号／はこの符号の左右のパーツが一箇所でのみ接合していることを、それぞれ意味するものとして使用している。）
「第一軸側回動状態」→リッド本体２＋リンク体３／開口形成体１
「回動不能状態」→リッド本体２＋リンク体３＋開口形成体１
「第二軸側回動状態」→リッド本体２／リンク体３＋開口形成体１
【００３７】
リンク体３の第一軸３０はその一端側にあり、リンク体３の第二軸３１はその他端側にあることから、第一軸側回動状態にあってはリッド本体２は第二軸３１の位置される側を自由端とするように開き出す。一方、第二軸側回動状態にあってはリッド本体２は第一軸３０の位置される側を自由端とするように開き出す。すなわち、リッド本体２は両開きとされる。
【００３８】
ここで、この実施の形態にあっては、リッド本体２を両持ちとしている。すなわち、リンク体３を、第一リンク体３ａと、第二リンク体３ｂとから構成させ、この二つのリンク体３ａ、３ｂを介して、リッド本体２を開口形成体１に組み付けさせている。図示の例では、略長方形の輪郭を持った開口１０における巾側の開口縁部の一方の側方にこの開口縁部に沿って長さを持った第一リンク体３ａが配され、かつ、この巾側の開口縁部の他方の側方にこの開口縁部に沿って長さを持った第二リンク体３ｂが配されている。
【００３９】
そして、かかるリッド本体２の一端側Ｆｓ（図示の例では前記開口における巾側の開口縁部の一方の側にあるリッド本体２の端部）において、第一リンク体３ａを介してリッド本体２が開口形成体１に組み合わされていると共に、
リッド本体２の他端側Ｓｓ（図示の例では前記開口における巾側の開口縁部の他方の側にあるリッド本体２の端部）において、第二リンク体３ｂを介してリッド本体２が開口形成体１に組み合わされている。
【００４０】
また、それと共に、第二リンク体３ｂの第二軸３１は第一リンク体３ａの第一軸３０を通る仮想の直線ｘ上に略位置され、
第二リンク体３ｂの第一軸３０は第一リンク体３ａの第二軸３１を通る仮想の直線ｘ上に略位置されている。
また、切り替え部材２０は、第一リンク体３ａに対する第一掛合端２０１ａと、第二リンク体３ｂに対する第二掛合端２０１ｂとを備えており、
切り替え部材２０の第一掛合端２０１ａが前進位置に移動されたとき第二掛合端２０１ｂは後退位置に移動され、
切り替え部材２０の第二掛合端２０１ｂが前進位置に移動されたとき第一掛合端２０１ａは後退位置に移動されるようになっている。
【００４１】
切り替え部材２０の第一掛合端２０１ａが前進位置に移動されたとき、リッド本体２の一端側Ｆｓは前記第一軸側回動状態となる。これに対して、リッド本体２の他端側Ｓｓは前記第二軸側回動状態となる。ここで、第二リンク体３ｂの第二軸３１は第一リンク体３ａの第一軸３０を通る仮想の直線ｘ上に略位置されることから、リッド本体２の回動・開き出しが可能となる。（図６）
【００４２】
切り替え部材２０の第二掛合端２０１ｂが前進位置に移動されたとき、リッド本体２の他端側Ｓｓは前記第一軸側回動状態となる。これに対して、リッド本体２の一端側Ｆｓは前記第二軸側回動状態となる。ここで、第二リンク体３ｂの第一軸３０は第一リンク体３ａの第二軸３１を通る仮想の直線ｘ上に略位置されることから、前者の場合と反対の側を自由端としたリッド本体２の回動・開き出しが可能となる。（図１１）
【００４３】
切り替え部材２０の第一掛合端２０１ａおよび第二掛合端２０１ｂが共に前進位置にないときは第一掛合端２０１ａおよび第二掛合端２０１ｂは共に中間位置にあることとなる。このときは、リッド本体２の一端側Ｆｓおよび他端側Ｓｓにおいて共に前記回動不能状態となるので、リッド本体２による開口形成体１の開口１０を閉塞させた状態が維持される。（図１）
【００４４】
このようにリッド本体２を両持ちにした場合、特に、リッド本体２の回動・開きだしを安定的に行わせることができる。
【００４５】
また、この実施の形態にあっては、第一リンク体３ａの第二軸３１および第二リンク体３ｂの第二軸３１に巻装されたねじりコイルバネ３５によって、この第二軸３１を中心として開き出し回動される向きにリッド本体２が常時付勢されている。（なお、図２においては、かかるコイルバネ３５の記載を省略している。）
【００４６】
これにより、この実施の形態にあっては、リッド本体２の回動・開きだしがこのバネ３５の付勢によってなされるようにすることができる。
【００４７】
特に、この実施の形態にあっては、リッド本体２がいずれの向きから開く場合であっても、その回動・開きだしが前記バネ３５の付勢によってなされるようにすることができる。
【００４８】
また、この実施の形態にあっては、かかるリッド本体２における第二軸３１の側方に、この第二軸３１を中心に回動されるリンク体３に備えられたギア３６１に噛み合うピニオン２１２を備えると共に、このピニオン２１２の回転に制動を付与するダンパ装置２１が備えられている。
【００４９】
これにより、この実施の形態にあっては、リッド本体２の前記バネ３５による回動・開きだしがゆっくりとなされるようにして、リッド装置ないしはそれが適用される物品、機器、什器などに高級感などを付与させることができる。
【００５０】
また、この実施の形態にあっては、前記切り替え部材２０が仮想の直線ｘに沿った向きに移動可能に構成されていると共に、この仮想の直線ｘに直交する向きにおいて両側いずれの方向にも移動可能にリッド本体２に備えられたこの切り替え部材２０の操作体２３を備えており、
操作体２３の基準位置において切り替え部材２０の第一掛合端２０１ａ及び第二掛合端２０１ｂが共に中間位置にあると共に、
リッド本体２に、この操作体２３が基準位置から移動されたときに、この操作体２３を基準位置に押し戻す復帰手段２４が備えさせている。
【００５１】
より詳しくは、操作体２３を基準位置から一方側に移動すると切り替え部材２０の第一掛合端２０１ａが前進位置に移動され、操作体２３を基準位置から他方側に移動すると切り替え部材２０の第二掛合端２０１ｂが前進位置に移動されるように、操作体２３と切り替え部材２０とが連係されている。
【００５２】
これにより、この実施の形態にあっては、リッド本体２を開き出させようとする側から操作体２３を押し込み操作することにより、このリッド本体２をこの側を自由端として開き出させることができる。また、操作体２３の操作によりリッド本体２が開きだした後は、復帰手段２４により操作体２３を基準位置に戻し、したがって、切り替え部材２０の第一掛合端２０１ａ及び第二掛合端２０１ｂが共に中間位置にある状態に戻すことができる。また、開いたリッド本体２を閉じるときに復帰手段２４の押し戻しに抗する向きに一旦切り替え部材２０を移動させた後、リッド本体２の閉じ位置において第一リンク体３ａおよび第二リンク体３ｂの掛合穴３４に再び第一掛合端２０１ａおよび第二掛合端２０１ｂを掛合させてこの閉じ状態を安定的に維持させることができる。
【００５３】
操作体２３を基準位置から一方側に移動すると切り替え部材２０の第一掛合端２０１ａが前進位置に移動され、かつ、切り替え部材２０の第二掛合端２０１ｂが後退位置に移動されることから、リッド本体２は回動・開きだし可能となり、また、操作体２３を基準位置から他方側に移動すると切り替え部材２０の第二掛合端２０１ｂが前進位置に移動され、かつ、切り替え部材２０の第一掛合端２０１ａが後退位置に移動されることから、リッド本体２は前者の側と反対の側を自由端として回動・開きだし可能となり、特に図示の例では、前記バネの付勢によりリッド本体２は開き出しを開始するが、前記復帰手段２４によって操作体２３の操作を止めると操作体２３は基準位置に戻り切り替え部材２０の第一掛合端２０１ａ及び第二掛合端２０１ｂは共に中間位置に位置づけられる。リッド本体２が開かれている限り第一掛合端２０１ａ及び第二掛合端２０１ｂのいずれか一方はリンク体３に掛合されているが、リッド本体２を閉じ操作すると中間位置にある第一掛合端２０１ａ及び第二掛合端２０１ｂの他方はラッチ体３２をラッチ受け１２に掛合させて開口形成体１側に残っているリンク体３の掛合穴３４近傍のリンク体３の外面に突き当たり復帰手段２４の押し戻しに抗して一旦後退位置に移動される。（このとき、第一掛合端２０１ａ及び第二掛合端２０１ｂの一方は前進位置に移動される。）この後、この第一掛合端２０１ａ及び第二掛合端２０１ｂの他方は、それが掛合穴３４に入り込む位置での前記押し戻しにより再び中間位置に戻されてこの掛合穴３４に掛合される。これにより、リッド本体２が開口１０を安定的に閉塞させた状態を再び作り出すことができるようになっている。
【００５４】
図示の例では、開口形成体１の開口１０は巾と長さを持った略長方形状の輪郭を持つように構成されており、これに対応して、リッド本体２も、巾と長さとを備えた略長方形の盤状をなすように構成されている。図中、符号２９はリッド本体２のアウターカバーである。
【００５５】
リッド本体２の巾方向両側にはそれぞれ、リッド本体２の巾に亘り、かつ、リッド本体２の下面において開放されたリンク体３の収納凹部２５が形成されている。
【００５６】
リッド本体２の前記アウターカバー２９で塞がれる上面側には、その長さ方向に沿った縁部にそれぞれ、前記収納凹部２５間に亘る立ち上がり壁２６が形成されており、収納凹部２５を画成する側壁２５１とこの立ち上がり壁２６の内面とによってリッド本体２は上面開口の箱状を呈している。このリッド本体２の内側に臨んだ収納凹部２５の側壁２５１の略中央には、この側壁２５１を貫通する切り替え部材２０の掛合端２０１の通し部２５２が形成されている。図中、符号２７はこの通し部２５２に通された切り替え部材２０の押さえ部材である。（なお、図２、図３、図７、図８、図１２、図１３においては、かかる押さえ部材２７をリッド本体２の一端側Ｆｓにおいてのみ表している。）
【００５７】
また、リッド本体２の四つの隅のうち、一つの対角線上にある二つの隅にはそれぞれ、リッド本体２の上面において開放された略方形の組み込み凹部２８が形成されている。この隅にある収納凹部２５を画成する内外の側壁２５１と、この側壁２５１と平行をなす組み込み凹部２８の側壁とには、第二軸３１の固定穴２８１がそれぞれ形成されており、第二軸３１はこの各固定穴２８１に通されてリッド本体２の長さ方向に軸線を沿わせる向きでこのリッド本体２に固定されるようになっている。この例では、リンク体３の他端側に収納凹部２５内においてこの固定穴２８１に連通する軸穴３１１が形成されている。また、この例では、第二軸３１を内側に納めて前記組み込み凹部２８内に位置されるスリーブ体３６の一端がリンク体３の軸穴３１１の周縁部に止め付けられるようになっている。このスリーブ体３６の外側にはねじりコイルバネ３５が巻装されている。このねじりコイルバネ３５によってリンク体３はリッド本体２の収納凹部２５から抜け出す向きに常時付勢を蒙っている。組み込み凹部２８内には、筒状本体２１１と、この筒状本体２１１の筒一端においてこの筒状本体２１１の筒軸を回転中心として回転可能にこの筒状本体２１１に支持されたピニオン２１２とから構成されるダンパ装置２１が、ピニオン２１２の回転軸を第二軸３１と平行に配させるようにして組み込まれている。かかるダンパ装置２１の筒状本体２１１内にはシリコンオイルなどの粘性流体が封入されており、筒状本体２１１内にあるピニオン２１２の一部がこのピニオン２１２の回転時に封入された粘性流体の抵抗を受けるようになっている。スリーブ体３６の他端にはかかるピニオン２１２に常時噛み合うギア３６１が形成されている。これにより、この例では、リッド本体２のいずれの側からの開きだしも前記バネ３５によってなさしめながら、このいずれの側からの開きだしに対しても適度の制動を付与するようにしている。
【００５８】
リッド本体２の内部であって、その長さ方向略中程の位置よりもその一端側Ｆｓに近づいた位置には、リッド本体２の巾方向に亘る長さを持った操作体２３がこの巾方向に沿った移動可能に配されている。一対の立ち上がり壁２６にはぞれぞれ、この操作体２３の端部に形成されたボタン部２３１を外部に露出させる窓穴２６１が形成されており、この窓穴２６１を通じたボタン部２３１の押し込み操作により操作体２３を基準位置から押し込めるようになっている。操作体２３の長さ方向略中央には、この操作体２３の長さ方向に交叉する向きに延びるカム溝２３２が形成されている。また、操作体２３の長さ方向略中程の位置であって、その裏面には、操作体２３の長さ方向に対し同じ角度で交叉し、かつ、操作体２３の中央において直角に交わる左右傾斜面２３３ａ、２３３ａからなる被押圧部２３３が形成されている。この左右傾斜面２３３ａ、２３３ａはリッド本体２の他端側Ｓｓに向いている。リッド本体２の内部には、この被押圧部２３３に対しリッド本体２の他端側Ｓｓからバネ２４２により常時押し当てられる復帰手段２４としての押圧体２４１がリッド本体２の長さ方向に沿った移動可能に配されている。この押圧体２４１は、被押圧部２３３の左右傾斜面２３３ａ、２３３ａによって形成された直角二等辺三角形状の内郭形状に倣った先端２４３形状を持っており、これによって操作体２３は前記押し込み操作がされないときにはこの押圧体２４１の先端２４３を被押圧部２３３の左右傾斜面２３３ａ、２３３ａの接し合う奥隅２３３ｂに納める位置に位置づけられるようになっている。（図２／操作体２３の基準位置）
【００５９】
切り替え部材２０は、図示の例にあっては、一方の収納凹部２５に形成された前記通し部２５２と、他方の収納凹部２５に形成された前記通し部２５２とにそれぞれ、その端部を常に入り込ませる長さを持った棒状をなすように構成されている。この端部が前記掛合端２０１として機能するようになっている。この切り替え部材２０における前記操作体２３の上面上に位置される箇所には、前記カム溝２３２に入り込みこれに案内される突起２０２が形成されている。操作体２３が基準位置にあるとき、この突起２０２はカム溝２３２の長さ方向略中程の位置に位置される。（図２）操作体２３が基準位置から図２における右側に向けて押し込まれると、切り替え部材２０は同図における下側に移動され、この下側のリンク体３に備えられたラッチ体３２におけるその回動軸３２４を挟んでラッチ端３２１と反対の側となる上端部３２３をラッチ受け１２との掛合を解く向きに押し、（図７、図８）操作体２３が基準位置から図２における左側に向けて押し込まれると、切り替え部材２０は同図における上側に移動され、この上側のリンク体３に備えられたラッチ体３２におけるその回動軸３２４を挟んでラッチ端３２１と反対の側となる上端部３２３をラッチ受け１２との掛合を解く向きに押す。（図１２、図１３）
【００６０】
切り替え部材２０の両掛合端２０１、２０１は、操作体２３が基準位置にあるときは、通し部２５２から収納凹部２５内にあるリンク体３の掛合穴３４にやや入り込んでいる。（図３）掛合端２０１の下側は、この掛合端２０１の末端に近づくに連れて次第にこの掛合端２０１を細める向きに傾斜した傾斜面２０３となっている。
【００６１】
リンク体３は、他端に前記第二軸３１の軸穴３１１を備え、かつ、一端に第一軸３０の軸穴３０１を備えると共に、前記リッド本体２の閉じ状態においては前記収納凹部２５内に完全に納まる太さを持った棒状をなすように構成されている。
【００６２】
図示の例では、リンク体３は前記他端側を除く箇所を、リッドの閉じ状態において上側に位置される上壁３７ａと下側に位置される下壁３７ｂおよびこの両者間に亘る内側壁３７ｃ（他方のリンク体３に向けられた側にある側壁）と外側壁３７ｄとを備えた中空体として構成させている。
【００６３】
リンク体３の一端側の下壁３７ｂは切りかかれており、開口形成体１の開口１０における四つの隅を通る二つの対角線のうちの一つの対角線上に位置される隅の外側であって、開口の巾側の縁部の側方から上方に突き出すように設けられるブラケット部１３がこの切りかき部３８を通じてリンク体３内に納められるようになっている。リンク体３の一端側の内側壁３７ｃおよび外側壁３７ｄとブラケット部１３とには第一軸３０の軸穴３０１、１３１が形成されており、これら軸穴３０１、１３１に第一軸３０を通すことでリンク体３はその一端側で開口形成体１に回動可能に組み付けられている。
【００６４】
リンク体３の長さ方向略中程の位置にはその内側壁３７ｃに前記掛合穴３４が貫通状態に設けられている。この掛合穴３４の上穴縁と上壁との間にはこの上穴縁に近づくに連れて次第に高まる傾斜案内面３４１が形成されている。リッド本体２を開いた状態から閉じ操作すると、リンク体３との掛合を解かれている切り替え部材２０の掛合端２０１は、基準位置にある操作体２３によって中間位置に位置づけられていることから、その掛合端２０１の傾斜面２０３を前記傾斜案内面３４１に摺接させてやや後退され、これによりリッド本体２の閉じ位置への移動が許容される。リッド本体２の閉じ位置では復帰手段２４の押し戻しにより切り替え部材２０のこの掛合端２０１は再び中間位置に戻され、リンク体３の掛合穴３４に入り込み掛合される。
【００６５】
ラッチ受け１２は、図示の例では、開口形成体１の開口１０の巾側の縁部の側方であって、その略中程の位置において、この開口形成体１を構成する上面部１４に形成された貫通穴１２１によって構成されている。
【００６６】
一方、ラッチ体３２は、リンク体３の長さ方向略中程の位置においてこのリンク体３の下壁３７ｂに貫通状態に形成された窓穴３９から突き出すラッチ端３２１を備えると共に、リンク体３の内部にあって掛合穴３４の前方に位置される上端部３２３を備えており、かつ、このラッチ端３２１と上端部３２３との間において、両側部に形成された軸突起３２５をもってリンク体３の長さ方向に回動軸３２４を沿わせる向きでこのリンク体３に回動可能に支持されている。ラッチ端３２１は、リンク体３の外壁側に突き出す爪体３２２によって構成されている。また、軸突起３２５の一方にはねじりコイルバネ３３１が巻装されており、このバネ３３１によってラッチ体３２はリッド本体２の閉じ状態においてラッチ受け１２としての貫通穴１２１にラッチ端３２１を入り込ませ爪体３２２をこの貫通穴１２１の内側の穴縁部に掛合させる位置に位置づけられるようになっている。リッド本体２が閉じられた状態において切り替え部材２０の掛合端２０１が前進位置に移動されると、この掛合端２０１がラッチ体３２の上端部３２３をリンク体３の内側壁３７ｃ側から押しラッチ体３２はそのラッチ端３２１とラッチ受け１２としての貫通穴１２１との掛合を解く向きに回動される。これにより、かかるリンク体３をリッド本体２の収納凹部２５に納めさせた状態でこの側では第一軸３０を中心にリッド本体２は開かれる。（このリンク体３と反対の側のリンク体３はラッチ体３２をラッチ受け１２に掛合させた状態で開口形成体１上に残される。）切り替え部材２０の操作、つまりは、操作体２３の操作を止めれば掛合端２０１は中間位置に戻るのでリッド本体２と一緒に持ち上がっているリンク体３におけるラッチ体３２のラッチ端３２１はバネ３３１により元の位置に戻される。リッド本体２を閉じる操作をするとこのラッチ端３２１はラッチ受け１２としての貫通穴１２１の穴縁部に突き当てられバネ３３１の付勢に抗してやや回動してこの貫通穴１２１に入り込み、入り込み位置で再び元の位置に戻りこの貫通穴１２１に前記のように掛合される。
【図面の簡単な説明】
【００６７】
【図１】リッド装置の適用例の斜視構成図（閉じ状態）
【図２】同要部平面構成図
【図３】同縦断面構成図
【図４】同要部水平断面構成図
【図５】リッド装置の適用例の斜視構成図（一方側からの開き始め状態）
【図６】リッド装置の適用例の斜視構成図（一方側からの開き終わり状態）
【図７】図５の向きからの開きを生じさせる操作開始直後の要部平面構成図
【図８】同縦断面構成図
【図９】同要部水平断面構成図
【図１０】リッド装置の適用例の斜視構成図（他方側からの開き始め状態）
【図１１】リッド装置の適用例の斜視構成図（他方側からの開き終わり状態）
【図１２】図１０の向きからの開きを生じさせる操作開始直後の要部平面構成図
【図１３】同縦断面構成図
【図１４】同要部水平断面構成図
【図１５】開口形成体１とリンク体３とリッド本体２との分離斜視構成図
【図１６】開口形成体１とリッド本体２との分離斜視構成図
【図１７】リッド本体２の分解斜視構成図
【符号の説明】
【００６８】
１  開口形成体
１０  開口
１２  ラッチ受け
２  リッド本体
２０  切り替え部材
２０１  掛合端
３  リンク体
３０  第一軸
３１  第二軸
３２  ラッチ体
３２１  ラッチ端
３３  付勢手段
３４  掛合穴
【図１】
0004772541.tif 000002
【図２】
0004772541.tif 000003
【図３】
0004772541.tif 000004
【図４】
0004772541.tif 000005
【図５】
0004772541.tif 000006
【図６】
0004772541.tif 000007
【図７】
0004772541.tif 000008
【図８】
0004772541.tif 000009
【図９】
0004772541.tif 000010
【図１０】
0004772541.tif 000011
【図１１】
0004772541.tif 000012
【図１２】
0004772541.tif 000013
【図１３】
0004772541.tif 000014
【図１４】
0004772541.tif 000015
【図１５】
0004772541.tif 000016
【図１６】
0004772541.tif 000017
【図１７】
0004772541.tif 000018